(57)【要約】【課題】建築物の壁面に雨水の流下跡を残さない付帯物の取り付けを実現する。【解決手段】建築物の壁面１に取り付けられる付帯物２の被装着箇所４と前記壁面１との間に介装されて前記付帯物２表面を流れ落ちる雨水の前記壁面１側への流下を阻止する雨水流下跡防止具３に関し、その幅方向中央に締結用具８を通すための挿通孔５を有するボス部６と、該ボス部６の幅方向両側に上向きに湾曲し且つ前方側へ下り勾配を成す傾斜を付した翼部７とを備える。【選択図】        図１
2004316321.tif 000002
【特許請求の範囲】
【請求項１】
建築物の壁面に取り付けられる付帯物の被装着箇所と前記壁面との間に介装されて前記付帯物表面を流れ落ちる雨水の前記壁面側への流下を阻止する雨水流下跡防止具であって、その幅方向中央に締結用具を通すための挿通孔を有するボス部と、該ボス部の幅方向両側に上向きに湾曲し且つ前方側へ下り勾配を成す傾斜を付した翼部とを備えたことを特徴とする雨水流下跡防止具。
【請求項２】
建築物の壁面に圧接して隙間形成を阻止するパッキンを背面側に装備したことを特徴とする請求項１に記載の雨水流下跡防止具。
【請求項３】
ボス部の下面にも前方側へ下り勾配を成す傾斜を付し且つその前端部分に雨水の滴下を促す水切り部を形成したことを特徴とする請求項１又は２に記載の雨水流下跡防止具。
【請求項４】
付帯物の被装着箇所と嵌合可能な切欠部を正面側に形成したことを特徴とする請求項１、２又は３に記載の雨水流下跡防止具。
【発明の詳細な説明】
【０００１】
【発明の属する技術分野】
本発明は、雨水流下跡防止具に関するものである。
【０００２】
【従来の技術】
建築物の壁面には、排水用の配管や看板、照明器具、意匠的な装飾物などといった様々な付帯物が取り付けられることがあるが、このような付帯物を取り付けた建築物の壁面では、前記付帯物の取り付け位置から下方へ延びる黒々とした汚れが形成されてしまい、これにより建築物の壁面の外観が著しく悪くなることが問題視されている。
【０００３】
即ち、屋外に晒された壁面や付帯物の表面は、空気中の塵や埃が付着することにより少なからず汚れているが、降雨時に付帯物の表面を流れ落ちる雨水が取り付け位置から壁面側へ誘導される結果、付帯物の取り付け位置から壁面に沿い下降する雨水の流れが形成されてしまい、ここに壁面や付帯物の塵や埃が集められて雨水の流下跡として残ってしまうのである。
【０００４】
【発明が解決しようとする課題】
しかしながら、このような建築物の壁面にできる付帯物の取り付けを要因とした汚れについては、何らかの改善策が求められているにもかかわらず、未だ有効な対策が提供されていないのが実情である。
【０００５】
本発明は上述の実情に鑑みてなしたもので、建築物の壁面に雨水の流下跡を残さない付帯物の取り付けを実現し得る雨水流下跡防止具を提供することを目的としている。
【０００６】
【課題を解決するための手段】
本発明は、建築物の壁面に取り付けられる付帯物の被装着箇所と前記壁面との間に介装されて前記付帯物表面を流れ落ちる雨水の前記壁面側への流下を阻止する雨水流下跡防止具であって、その幅方向中央に締結用具を通すための挿通孔を有するボス部と、該ボス部の幅方向両側に上向きに湾曲し且つ前方側へ下り勾配を成す傾斜を付した翼部とを備えたことを特徴とするものである。
【０００７】
而して、建築物の壁面に付帯物を取り付けるに際し、該付帯物の被装着箇所と前記壁面との間に雨水流下跡防止具を介装して前記付帯物の取り付けを行うようにすれば、降雨時に付帯物の被装着箇所の直上の壁面を流れ落ちる雨水や、前記被装着箇所より上側で付帯物の表面に付着して流れ落ちる雨水が雨水流下跡防止具の上側に受け止められ、両翼部の傾斜により建築物の壁面から離れる前方側へ誘導されるので、最終的に被装着箇所より下側の付帯物の表面を流れ落ちて建築物の壁面から離れた位置で滴下することになり、付帯物の取り付け位置から壁面に沿い下降する雨水の流れが形成されなくなる。
【０００８】
また、本発明においては、建築物の壁面に圧接して隙間形成を阻止するパッキンを背面側に装備すると良く、このようにすれば、建築物の壁面に凹凸が生じていても、雨水流下跡防止具の背面と壁面との間がパッキンにより隙間なく密着してシールされることになるので、雨水流下跡防止具の上側に流れ落ちた雨水が全て建築物の壁面から離れる前方側へ誘導されることになる。
【０００９】
更に、本発明においては、ボス部の下面にも前方側へ下り勾配を成す傾斜を付し且つその前端部分に雨水の滴下を促す水切り部を形成することが好ましく、このようにすれば、ボス部の下面側に回り込んだ雨水も建築物の壁面から離れる前方側へ誘導されることになり、その前端部分の水切り部にて確実に滴下されることになる。
【００１０】
また、本発明においては、付帯物の被装着箇所と嵌合可能な切欠部を正面側に形成すると良く、このようにすれば、ボス部の挿通孔と付帯物の被装着箇所の挿通孔とを位置合わせして両挿通孔にボルトやビスなどの締結用具を挿入し、該締結用具を締め込んで付帯物の壁面への締結を図る際に、付帯物の被装着箇所が雨水流下跡防止具の切欠部に嵌合して相互が締結用具の締め込み方向に一体化されるので、締結用具を締め込んでも雨水流下跡防止具の供回りが阻止されることになる。
【００１１】
【発明の実施の形態】
以下本発明の実施の形態を図面を参照しつつ説明する。
【００１２】
図１〜図６は本発明を実施する形態の一例を示すもので、図１は本発明を実施する形態の一例を示す概略図、図２は図１の雨水流下跡防止具の正面図、図３は図２のＩＩＩ−ＩＩＩ矢視の断面図、図４は図２のＩＶ−ＩＶ方向の矢視図、図５は図２のＶ−Ｖ方向の矢視図、図６は図２のＶＩ−ＶＩ方向の矢視図であり、特に図５には説明の便宜上から一部を破断した付帯物を一緒に図示してある。
【００１３】
図中１は建築物の壁面、２は該壁面１に取り付けられる付帯物（図示では意匠的な装飾物の場合で例示してある）、３は該付帯物２の被装着箇所４と前記壁面１との間に介装されて前記付帯物２の表面を流れ落ちる雨水の前記壁面１側への流下を阻止する雨水流下跡防止具を示している。
【００１４】
この雨水流下跡防止具３は、その幅方向中央に締結用具８を通すための挿通孔５を有するボス部６と、該ボス部６の幅方向両側に上向きに湾曲し且つ前方側へ下り勾配を成す傾斜（特に図３を参照）を付した翼部７とを備えて構成されており、その背面側には、建築物の壁面１に圧接して隙間形成を阻止するパッキン９が装備されている。
【００１５】
また、ここに図示する例では、ボス部６の下面にも前方側へ下り勾配を成す傾斜（特に図３を参照）が付されており、その前端部分に雨水の滴下を促す水切り部１０が形成されていると共に、付帯物２の被装着箇所４と同じ幅寸法で該被装着箇所４と嵌合可能（特に図５を参照）な切欠部１１が形成されている。
【００１６】
而して、建築物の壁面１に付帯物２を取り付けるに際し、該付帯物２の被装着箇所４と前記壁面１との間に雨水流下跡防止具３を介装して前記付帯物２の取り付けを行うようにすれば、降雨時に付帯物２の被装着箇所４の直上の壁面１を流れ落ちる雨水や、前記被装着箇所４より上側で付帯物２の表面に付着して流れ落ちる雨水が雨水流下跡防止具３の上側に受け止められ、両翼部７の傾斜により建築物の壁面１から離れる前方側へ誘導されるので、最終的に被装着箇所４より下側の付帯物２の表面を流れ落ちて建築物の壁面１から離れた位置で滴下することになり、付帯物２の取り付け位置から壁面１に沿い下降する雨水の流れが形成されなくなる。
【００１７】
また、建築物の壁面１に凹凸が生じていても、雨水流下跡防止具３の背面と壁面１との間がパッキン９により隙間なく密着してシールされることになるので、雨水流下跡防止具３の上側に流れ落ちた雨水が全て建築物の壁面１から離れる前方側へ誘導されることになる。
【００１８】
更に、ボス部６の下面にも前方側へ下り勾配を成す傾斜が付され、その前端部分に雨水の滴下を促す水切り部１０が形成されているので、ボス部６の下面側に回り込んだ雨水も建築物の壁面１から離れる前方側へ誘導されることになり、その前端部分の水切り部１０にて確実に滴下されることになる。
【００１９】
従って、上記形態例によれば、降雨時に付帯物２の被装着箇所４の直上の壁面１を流れ落ちる雨水や、前記被装着箇所４より上側で付帯物２の表面に付着して流れ落ちる雨水を雨水流下跡防止具３により壁面１から離れた位置で滴下させることができるので、付帯物２の取り付け位置から壁面１に沿い下降する雨水の流れの形成を阻止することができ、これにより建築物の壁面１に雨水の流下跡を残さない付帯物２の取り付けを実現することができる。
【００２０】
特に本形態例では、建築物の壁面１に凹凸が生じていても、雨水流下跡防止具３の背面と壁面１との間をパッキン９により隙間なくシールすることができて、雨水流下跡防止具３の上側に流れ落ちた雨水を全て建築物の壁面１から離れる前方側へ誘導することができ、しかも、ボス部６の下面側に回り込んだ雨水も建築物の壁面１から離れる前方側へ誘導して水切り部１０にて確実に滴下させることができるので、付帯物２の取り付け位置から壁面１に沿い下降する雨水の流れの形成をより一層確実に阻止することができる。
【００２１】
また、本形態例の如く、付帯物２の被装着箇所４と嵌合可能な切欠部１１を正面側に形成しておけば、ボス部６の挿通孔５と付帯物２の被装着箇所４の挿通孔１２（図５参照）とを位置合わせして両挿通孔５，１２にボルトやビスなどの締結用具８を挿入し、該締結用具８を締め込んで付帯物２の壁面１への締結を図る際に、付帯物２の被装着箇所４が雨水流下跡防止具３の切欠部１１に嵌合して相互が締結用具８の締め込み方向に一体化されるので、締結用具８を締め込んでも雨水流下跡防止具３の供回りが阻止されることになり、該雨水流下跡防止具３の壁面１への取り付けを作業性良く行うことができる。
【００２２】
尚、本発明の雨水流下跡防止具は、上述の形態例にのみ限定されるものではなく、本発明の要旨を逸脱しない範囲内において種々変更を加え得ることは勿論である。
【００２３】
【発明の効果】
上記した本発明の雨水流下跡防止具によれば、下記の如き種々の優れた効果を奏し得る。
【００２４】
（Ｉ）本発明の請求項１に記載の発明によれば、降雨時に付帯物の被装着箇所の直上の壁面を流れ落ちる雨水や、前記被装着箇所より上側で付帯物の表面に付着して流れ落ちる雨水を雨水流下跡防止具により壁面から離れた位置で滴下させることができるので、付帯物の取り付け位置から壁面に沿い下降する雨水の流れの形成を阻止することができ、これにより建築物の壁面に雨水の流下跡を残さない付帯物の取り付けを実現することができる。
【００２５】
（ＩＩ）本発明の請求項２に記載の発明によれば、建築物の壁面に凹凸が生じていても、雨水流下跡防止具の背面と壁面との間をパッキンにより隙間なくシールすることができて、雨水流下跡防止具の上側に流れ落ちた雨水を全て建築物の壁面から離れる前方側へ誘導することができるので、付帯物の取り付け位置から壁面に沿い下降する雨水の流れの形成を更に確実に阻止することができる。
【００２６】
（ＩＩＩ）本発明の請求項３に記載の発明によれば、ボス部の下面側に回り込んだ雨水も建築物の壁面から離れる前方側へ誘導して水切り部にて確実に滴下させることができるので、付帯物の取り付け位置から壁面に沿い下降する雨水の流れの形成をより一層確実に阻止することができる。
【００２７】
（ＩＶ）本発明の請求項４に記載の発明によれば、ボス部の挿通孔と付帯物の被装着箇所の挿通孔とを位置合わせして両挿通孔にボルトやビスなどの締結用具を挿入し、該締結用具を締め込んで付帯物の壁面への締結を図る際に、付帯物の被装着箇所を雨水流下跡防止具の切欠部に嵌合させて相互を締結用具の締め込み方向に一体化させることができるので、締結用具を締め込む時の雨水流下跡防止具の供回りを阻止することができ、該雨水流下跡防止具の壁面への取り付けを作業性良く行うことができる。
【図面の簡単な説明】
【図１】本発明を実施する形態の一例を示す概略図である。
【図２】図１の雨水流下跡防止具の正面図である。
【図３】図２のＩＩＩ−ＩＩＩ矢視の断面図である。
【図４】図２のＩＶ−ＩＶ方向の矢視図である。
【図５】図２のＶ−Ｖ方向の矢視図である。
【図６】図２のＶＩ−ＶＩ方向の矢視図である。
【符号の説明】
１    壁面
２    付帯物
３    雨水流下跡防止具
４    被装着箇所
５    挿通孔
６    ボス部
７    翼部
８    締結用具
９    パッキン
１０    水切り部
１１    切欠部
１２    挿通孔
【図１】
2004316321.tif 000003
【図２】
2004316321.tif 000004
【図３】
2004316321.tif 000005
【図４】
2004316321.tif 000006
【図５】
2004316321.tif 000007
【図６】
2004316321.tif 000008